(57)【要約】      （修正有）【課題】便鉢部に汚物が付着しにくく、かつ溜水面を小さくすることが可能な水洗式便器を提供する。【解決手段】洗浄水により便鉢部１１を洗浄して汚物を排出する水洗式便器Ｔであり、便鉢部１１の後部に連通して設けられた排水路１２を有し、便鉢部１１の後部における左右両壁部のうち少なくとも一方の壁部に、溜水面２１の高さに位置して内側に突出する凸部２２が設けられ、凸部２２は、溜水面２１のうち横幅が最大となる前後方向略中間位置よりも後側に設けられているものである。【選択図】図１
2015206179.tif 000002
【特許請求の範囲】
【請求項１】
洗浄水により便鉢部を洗浄して汚物を排出する水洗式便器であり、
前記便鉢部の後部に連通して設けられた排水路を有し、
前記便鉢部の後部における左右両壁部のうち少なくとも一方の壁部に、溜水面の高さに位置して内側に突出する凸部が設けられ、
前記凸部は、前記溜水面のうち横幅が最大となる前後方向略中間位置よりも後側に設けられている水洗式便器。
【請求項２】
前記凸部が、前記溜水面の高さ位置より上方に至って設けられている請求項１に記載の水洗式便器。
【請求項３】
前記左右両壁部のうち前記便鉢部内を周方向に旋回する洗浄水が前方から後方に流れる側の壁部に設けられた前記凸部の前部には、前記洗浄水を前記排水路に流入するように案内する案内面が設けられている請求項１または請求項２に記載の水洗式便器。
【請求項４】
前記左右両壁部のうち前記便鉢部内を周方向に旋回する洗浄水が後方から前方に流れる側の壁部に設けられた前記凸部の後部には、前記洗浄水を前記排水路に流入するように案内する案内面が設けられている請求項１ないし請求項３のいずれか一項に記載の水洗式便器。
【発明の詳細な説明】
【技術分野】
【０００１】
本発明は、水洗式便器に関する。
【背景技術】
【０００２】
従来、洗浄水により便鉢部を洗浄して汚物を排出する水洗式便器が知られている。例えば下記特許文献１に記載の水洗式便器は、便鉢部に汚物が付着しにくいよう、溜水面が大きな円形状に形成されている。
【先行技術文献】
【特許文献】
【０００３】
【特許文献１】特開２００２−１３８５５５号公報
【発明の概要】
【発明が解決しようとする課題】
【０００４】
しかしながら、上記のような構成では、円形状をなす溜水面の周壁に沿って洗浄水が勢いよく旋回し、排水路に向かう流れが弱くなる虞があるため、汚物を良好に排出する上でさらなる工夫が望まれていた。
【０００５】
本発明は上記のような事情に基づいて完成されたものであって、汚物を良好に排出することが可能な水洗式便器を提供することを目的とする。
【課題を解決するための手段】
【０００６】
本発明は、洗浄水により便鉢部を洗浄して汚物を排出する水洗式便器であり、前記便鉢部の後部に連通して設けられた排水路を有し、前記便鉢部の後部における左右両壁部のうち少なくとも一方の壁部に、溜水面の高さに位置して内側に突出する凸部が設けられ、前記凸部は、前記溜水面のうち横幅が最大となる前後方向略中間位置よりも後側に設けられているものである。
【発明の効果】
【０００７】
本発明によれば、溜水面の後部において洗浄水が凸部によって、排水路に案内されるから、汚物を良好に排出することができる。
【図面の簡単な説明】
【０００８】
【図１】本実施例における水洗式便器を示す側断面図
【図２】水洗式便器を示す平面図
【図３】便鉢部の壁部の形状を示す断面図であって、図１のＡ−Ａ位置における断面に相当する断面図
【図４】凸部の上端部を含む便鉢部の壁部の形状を示す断面図であって、図１のＢ−Ｂ位置における断面に相当する断面図
【図５】凸部の中間部を含む便鉢部の壁部の形状を示す断面図であって、図１のＣ−Ｃ位置における断面に相当する断面図
【図６】凸部のうち溜水面の高さに位置する部分を含む便鉢部の壁部の形状を示す断面図であって、図１のＤ−Ｄ位置における断面に相当する断面図
【図７】凸部の下端部を含む便鉢部の壁部の形状を示す断面図であって、図１のＥ−Ｅ位置における断面に相当する断面図
【発明を実施するための形態】
【０００９】
本発明の好ましい形態を以下に示す。
本発明の水洗式便器は、前記凸部が、前記溜水面の高さ位置より上方に至って設けられているものとしてもよい。このような構成によれば、洗浄時に上昇した洗浄水も凸部によって旋回の勢いが弱められて排水路に案内されるから、汚物をより良好に排出することができる。
【００１０】
また、本発明の水洗式便器は、前記左右両壁部のうち前記便鉢部内を周方向に旋回する洗浄水が前方から後方に流れる側の壁部に設けられた前記凸部の前部には、前記洗浄水を前記排水路に流入するように案内する案内面が設けられているものとしてもよい。このような構成によれば、便鉢部内を旋回し前から後へ流れる洗浄水が、凸部の前部に設けられた案内面によって速やかに排水路に流入するから、汚物を良好に排出することができる。
【００１１】
また、本発明の水洗式便器は、前記左右両壁部のうち前記便鉢部内を周方向に旋回する洗浄水が後方から前方に流れる側の壁部に設けられた前記凸部の後部には、前記洗浄水を前記排水路に流入するように案内する案内面が設けられているものとしてもよい。このような構成によれば、便鉢部内を旋回し後から前へ流れる洗浄水が、凸部の後部に設けられた案内面によって速やかに排水路に流入するから、汚物を良好に排出することができる。
【００１２】
＜実施例＞
以下、本発明を具体化した一実施例について、図１〜図７を参照しつつ詳細に説明する。
本実施例における水洗式便器Ｔは、洗浄水により便鉢部１１を洗浄して汚物を排出する便器であり、便器本体１０には、便鉢部１１と、便鉢部１１の後部に連通してその下方に設けられた排水路１２とが備えられている。
【００１３】
便鉢部１１の上端周縁部には、図１に示すように、リム通水路１３が設けられている。リム通水路１３は内側にオーバーハングした形状をなし、洗浄水が外部へ飛散しないようにされている。
【００１４】
便鉢部１１には、リム通水路１３に連続するように開口した図示しない吐水口が設けられ、吐水口から吐水された洗浄水は、リム通水路１３に沿って便鉢部１１の周方向の一方向（本実施例では反時計回りの方向）に流れる。
便鉢部１１の下端には、略水平な面を有する段部１４が形成されている。そして、段部１４の後部には、排水路１２に連通する開口１５が設けられている。
【００１５】
排水路１２は、便鉢部１１の下端に形成された開口１５に連続して斜め後方へ下降する第１下降流路１２Ｆと、第１下降流路１２Ｆの下端に連続して斜め後方へ上昇する上昇流路１２Ｇと、上昇流路１２Ｇの上端から下流側に向けて斜め下方に傾斜する第２下降流路１２Ｈとを有している（図１参照）。第２下降流路１２Ｈは、便器本体１０の後壁部から後方に向けて突出した排水管部１６の内部に形成されている。なお、排水管部１６の下流端には、図示しない排水接続管が接続される。
【００１６】
上昇流路１２Ｇの上端より下方に位置する便鉢部１１の下端部、第１下降流路１２Ｆ、及び上昇流路１２Ｇには洗浄水が滞留され水封が形成される。上昇流路１２Ｇの上端は、排水トラップの頂部１７とされ、第１下降流路１２Ｆの上流端の開口は、排水トラップの入り口（以下、トラップ入り口１８と称する）とされている。なお、以下では、便器本体１０のうち洗浄水が滞留される部分を溜水部１９と称する。
【００１７】
溜水部１９の溜水面２１（初期溜水水位）の高さ位置は、排水トラップの頂部１７と同等の高さ位置とされ、段部１４よりも少し上方に位置している。
溜水面２１の形状は、図６に示すように、全体として五角形状をなし、前後方向の中間部において最大の幅寸法（左右方向の寸法）を有している。溜水面２１の略前半部分は、三角形状をなし、その左右両側の縁は前端部に向かって斜め方向に直線状をなして延びている。なお、溜水面２１の前端部は、丸み形状とされている。
【００１８】
溜水面２１の略後半部分は、台形状をなし、後縁が左右方向に延びるとともに、左右両側縁は、後述する凸部２２が設けられることによって、内側に突出するように湾曲している。
【００１９】
さて、便鉢部１１の後部における左右両壁部には、溜水面２１の高さに位置して内側に突出する凸部２２が設けられている。凸部２２は、溜水面２１のうち横幅が最大となる前後方向略中間位置よりも後側（トラップ入り口１８の側方）に設けられている。
【００２０】
凸部２２は、図１に示すように、溜水面２１の高さ位置よりも上方に至って設けられている。凸部２２の上端は、洗浄時に溜水面２１が上昇するその最大上昇位置に至っている。
【００２１】
凸部２２は、全体として、上端から下方に向かって前後方向の幅寸法が少しずつ増す形状をなしている。また、凸部２２は、前後方向の両端から前後方向の略中央に向かって少しずつ突出寸法が増す形態とされている。
【００２２】
凸部２２の頂点（前後方向における中央の突出端）２３は、凸部２２の上端から下端に至るまで、ほぼ上下方向に直線状に形成されている。また、凸部２２の頂点２３の突出寸法は、凸部２２の上端から下方に向かって少しずつ増すものとされ、凸部２２の上端部においては、図４に示すように、ほんのわずかな突出寸法とされている。
【００２３】
なお、凸部２２が設けられた左右両壁部は、下方に向かって開口１５に接近する（左右両壁部間の幅が狭まる）ように傾斜しており、凸部２２は、開口１５の周面にほぼ段差のない平坦な形態をなして連なっている。
【００２４】
左右両壁部に設けられた一対の凸部２２のうち、便鉢部１１内を反時計回りに旋回する洗浄水が前方から後方に流れる側の壁部（本実施例では左側の壁部であって、以下、第１壁部２４と称する）に設けられた凸部（以下、第１凸部２２Ｆと称する）の前部には、洗浄水を排水路１２に流入するように案内する第１案内面２５が設けられている。第１案内面２５は、第１凸部２２Ｆの頂点２３よりも前側の部分に形成されている。第１案内面２５は、この第１案内面２５によって、洗浄水が、排水路１２の入り口に向かって方向を変えるように傾斜している。
【００２５】
また、左右両壁部に設けられた一対の凸部２２のうち、便鉢部１１内を反時計回りに旋回する洗浄水が後方から前方に流れる側の壁部（本実施例では右側の壁部であって、以下、第２壁部２６と称する）に設けられた凸部（以下、第２凸部２２Ｓと称する）の後部には、洗浄水を排水路１２に流入するように案内する第２案内面２７が設けられている。第２案内面２７は、第２凸部２２Ｓの頂点２３よりも後側の部分に形成されている。第２案内面２７は、この第２案内面２７によって、洗浄水が、排水路１２の入り口に向かって方向を変えるように傾斜している。
【００２６】
このような構成を有する水洗式便器Ｔは、便器洗浄を実行すると、吐水口から吐水された洗浄水がリム通水路１３に沿って流れ、便鉢部１１の表面を反時計回りに旋回しつつ流下する。そして、溜水面２１に至った洗浄水は、第１案内面２５または第２案内面２７によってその流れの向きが変えられ、排水路１２に流入する。また、凸部２２によって旋回の勢いが弱められた洗浄水は排水路１２に勢いよく流れ込み、旋回流が大きく拡大することが抑制され、浮遊系汚物は、外側へ押し出されることなく洗浄水の旋回中心付近に集められ、効果的に排水路１２に送り込まれる。したがって、便鉢部１１から汚物を良好に排出することができる。
【００２７】
次に、上記のように構成された実施例の作用および効果について説明する。
本実施例の水洗式便器Ｔは、洗浄水により便鉢部１１を洗浄して汚物を排出する便器であり、便鉢部１１の後部に連通して設けられた排水路１２を有し、便鉢部１１の後部における左右両壁部に、溜水面２１の高さに位置して内側に突出する凸部２２が設けられ、凸部２２は、溜水面２１のうち横幅が最大となる前後方向略中間位置よりも後側に設けられている。
【００２８】
この構成によれば、溜水面２１の後部において洗浄水が凸部２２によって、旋回の勢いが弱められて排水路１２に案内されるから、汚物を良好に排出することができる。
【００２９】
また、凸部２２は、溜水面２１の高さ位置より上方に至って設けられている。この構成によれば、溜水面２１のみならず溜水面２１よりも上側に位置する部分の幅も狭められるから、洗浄時に上昇する洗浄水が大きく拡大して旋回することを抑制することができる。
【００３０】
また、左右両壁部のうち便鉢部１１内を周方向に旋回する洗浄水が前方から後方に流れる側の第１壁部２４に設けられた第１凸部２２Ｆの前部、および便鉢部１１内を周方向に旋回する洗浄水が後方から前方に流れる側の第２壁部２６に設けられた第２凸部２２Ｓの後部には、洗浄水を排水路１２に流入するように案内する第１案内面２５および第２案内面２７が設けられている。この構成によれば、便鉢部１１内を旋回した洗浄水が、第１凸部２２Ｆまたは第２凸部２２Ｓに設けられた第１案内面２５または第２案内面２７に案内されて速やかに排水路１２に流入するから、汚物を良好に排出することができる。
【００３１】
＜他の実施例＞
本発明は上記記述及び図面によって説明した実施例に限定されるものではなく、例えば次のような実施例も本発明の技術的範囲に含まれる。
（１）上記実施例では、洗浄水の旋回方向は反時計回りとされているが、これとは反対に、洗浄水の旋回方向は時計回りであってもよい。その場合には、左側の壁部に設けられた凸部の後部、または右側の壁部に設けられた凸部の前部に案内面を設けてもよい。
（２）上記実施例では、左右両壁部に凸部２２を設けたが、これに限らず、左右両壁部のうちいずれか一方の壁部のみに凸部を設けてもよい。
（３）上記実施例では、左右両壁部に設けられた凸部２２のいずれにも案内面を設けたが、これに限らず、左右両壁部に設けられた凸部のうち一方の凸部のみに案内面を設けてもよいし、いずれの凸部にも案内面を設けないものとしてもよい。
（４）上記実施例では、凸部２２は、溜水面２１の高さ位置より上方に至って設けられているが、これに限らず、凸部は、例えば溜水面の高さ位置のみに形成してもよい。
【符号の説明】
【００３２】
Ｔ…水洗式便器
１１…便鉢部
１２…排水路
２１…溜水面
２２…凸部
２４…第１壁部（洗浄水が沿う側の壁部）
２５…第１案内面（案内面）
２６…第２壁部（洗浄水が突き当たる側の壁部）
２７…第２案内面（案内面）
【図１】
2015206179.tif 000003
【図２】
2015206179.tif 000004
【図３】
2015206179.tif 000005
【図４】
2015206179.tif 000006
【図５】
2015206179.tif 000007
【図６】
2015206179.tif 000008
【図７】
2015206179.tif 000009